(57)【特許請求の範囲】
【請求項１】
表示パネル及びこの表示パネルを駆動するパネル駆動部を含む表示モジュールと、
前記表示モジュールから分離され、前記パネル駆動部を制御するタイミングコントローラーを含むホストシステムと、
前記ホストシステムと前記表示モジュールの間で通信するインターフェース装置とを含み、
前記インターフェース装置は、
前記ホストシステムと前記表示モジュールの間に連結されたケーブルと、
前記ホストシステムに内蔵され、前記タイミングコントローラーから供給されたデータを暗号化して前記ケーブルを介して伝送する送信モジュールと、
前記表示モジュールに装着され、前記ケーブルを介して伝送されたデータを復元して前記パネル駆動部に供給する受信モジュールとを含み、
前記送信モジュールは、
前記タイミングコントローラーから供給される４色（ＲＧＢＷ）データの中で３色（ＲＧＢ）データを圧縮し、
圧縮された前記３色データを伝送する第１チャネルと、圧縮されていないＷデータを伝送する第２チャネルとを分離して前記４色データを伝送する、
ＯＬＥＤ表示装置。
【請求項２】
前記送信モジュールは、
前記タイミングコントローラーから供給された入力垂直同期信号を用いて位相の相異なる第１及び第２垂直同期信号を生成し、
前記第１チャネルを介して前記第１垂直同期信号のアクティブ期間に前記３色データを伝送するとともに前記第２チャネルを介して前記第２垂直同期信号のアクティブ期間に前記Ｗデータを伝送し、
前記第１及び第２垂直同期信号のアクティブ期間は、前記タイミングコントローラーから前記表示パネルに供給されるセンシング用データを伝送するセンシング期間を交互に含む、請求項１に記載のＯＬＥＤ表示装置。
【請求項３】
前記第１及び第２垂直同期信号は前記入力垂直同期信号の１／２倍の周波数を有し、
前記第１及び第２垂直同期信号のそれぞれのアクティブ期間は、２個のフレームの映像データを伝送する２個のフレームの有効データ期間と、この２個のフレーム期間の間に割り当てられた前記センシング期間とを含み、
前記各チャネルのセンシング期間は他のチャネルのブランク期間と重畳する、請求項２に記載のＯＬＥＤ表示装置。
【請求項４】
前記パネル駆動部は、前記センシング期間に前記インターフェース装置を介して供給された前記センシング用データを用いて前記表示パネルの該当ピクセルを駆動した後、駆動された該当ピクセルの出力特性をセンシングし、該当ピクセルのセンシング値を前記インターフェース装置を介して前記タイミングコントローラーに伝送する、請求項３に記載のＯＬＥＤ表示装置。
【請求項５】
前記送信モジュールは、ＩＣに集積化され、前記タイミングコントローラーが実装された制御回路基板に実装され、前記制御回路基板のコネクタを介して前記ケーブルと連結され、
前記受信モジュールは、ＩＣに集積化され、前記表示モジュールに装着されたフラットフレキシブルケーブル上に実装され、前記フラットフレキシブルケーブルのコネクタを介して前記ケーブルと連結される、請求項１に記載のＯＬＥＤ表示装置。
【請求項６】
前記インターフェース装置は、ＨＤＣＰ（Ｈｉｇｈ−ｂａｎｄｗｉｄｔｈ  Ｄｉｇｉｔａｌ  Ｃｏｎｔｅｎｔｓ  Ｐｒｏｔｅｃｔｉｏｎ）の暗号化アルゴリズムを支援するＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）伝送規格を用いる、
請求項１ないし５のいずれか一項に記載のＯＬＥＤ表示装置。
【請求項７】
表示パネル及びこの表示パネルを駆動するパネル駆動部を含む表示モジュールと、
前記表示モジュールから分離され、前記パネル駆動部を制御するタイミングコントローラーを含むホストシステムと、
前記ホストシステムと前記表示モジュールの間で通信するインターフェース装置とを含み、
前記インターフェース装置は、
前記ホストシステムと前記表示モジュールの間に連結されたケーブルと、
前記ホストシステムに内蔵され、前記タイミングコントローラーから供給されたデータを暗号化して前記ケーブルを介して伝送する送信モジュールと、
前記表示モジュールに装着され、前記ケーブルを介して伝送されたデータを復元して前記パネル駆動部に供給する受信モジュールとを含み、
前記インターフェース装置は、ＨＤＣＰ（Ｈｉｇｈ−ｂａｎｄｗｉｄｔｈ  Ｄｉｇｉｔａｌ  Ｃｏｎｔｅｎｔｓ  Ｐｒｏｔｅｃｔｉｏｎ）の暗号化アルゴリズムを支援するＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）伝送規格を用い、
前記送信モジュールは、
前記タイミングコントローラーから供給された入力垂直同期信号を用いて位相の相異なる第１及び第２垂直同期信号を生成し、
第１チャネルを介して前記第１垂直同期信号のアクティブ期間に第１ビデオデータを伝送するとともに第２チャネルを介して前記第２垂直同期信号のアクティブ期間に第２ビデオデータを伝送し、
前記第１及び第２垂直同期信号のアクティブ期間は、前記タイミングコントローラーから前記表示パネルに供給されるセンシング用データを伝送するセンシング期間を交互に含み、
あるチャネルのセンシング期間が他のチャネルのブランク期間と重畳される、
ＯＬＥＤ表示装置。
【発明の詳細な説明】
【技術分野】
【０００１】
本発明は、ＯＬＥＤ表示装置に関し、特に、スリム化のために外部に分離された回路と表示モジュールの間の通信の際に暗号化伝送技術を用いながら外部補償のためのセンシング用データを効率的に伝送することができるインターフェース装置を含む表示装置に関するものである。
【背景技術】
【０００２】
近年、デジタルデータを用いて映像を表示する平板表示装置としては、液晶を用いた液晶表示装置（Ｌｉｑｕｉｄ Ｃｒｙｓｔａｌ Ｄｉｓｐｌａｙ；ＬＣＤ）、有機発光ダイオード（Ｏｒｇａｎｉｃ Ｌｉｇｈｔ Ｅｍｉｔｔｉｎｇ Ｄｉｏｄｅ；以下、ＯＬＥＤ）を用いたＯＬＥＤ表示装置などが代表的である。
【０００３】
これらのうち、ＯＬＥＤ表示装置は、電子と正孔の再結合によって有機発光層を発光させる自発光素子であり、輝度が高く、駆動電圧が低く、薄膜化が可能であって、未来の表示装置として期待されている。
【０００４】
ＯＬＥＤ表示装置を構成する複数のピクセルは、アノードとカソード間の有機発光層で構成されたＯＬＥＤ素子と、ＯＬＥＤ素子を独立的に駆動するピクセル回路とをそれぞれ含む。ピクセル回路は、データ電圧をストレージキャパシタに供給するスイッチング薄膜トランジスタ（Ｔｈｉｎ Ｆｉｌｍ Ｔｒａｎｓｉｓｔｏｒ；ＴＦＴ）と、ストレージキャパシタに充電された駆動電圧によって駆動電流を制御してＯＬＥＤ素子に供給する駆動ＴＦＴなどを含み、ＯＬＥＤ素子は、駆動電流に比例する光を発生する。
【０００５】
ＯＬＥＤ表示装置は、工程偏差及び経時変化の理由でピクセル間駆動ＴＦＴの駆動特性（閾値電圧、移動度）の偏差が生じて輝度不均一の問題がある。これを解決するために、ＯＬＥＤディスプレイは各ピクセルの駆動特性をセンシングし、センシング値を用いて、各ピクセルに供給されるデータを補償する外部補償法を用いている。
【０００６】
ＯＬＥＤ表示装置は、携帯端末機、ＴＶセット、フレキシブルディスプレイ又は透明ディスプレイなどの多様な応用製品に適用可能であり、近年、ペーパー（Ｐａｐｅｒ）ディスプレイ又はウォールペーパー（Ｗａｌｌ−Ｐａｐｅｒ）ディスプレイなどに適用するためにスリム化する方向に開発されている。
【０００７】
表示モジュールのスリム化のために、表示モジュールに装着される回路構成の一部を外部に分離する方案が考慮されなければならない。この場合、表示モジュールから外部に分離された回路構成と表示モジュールの通信に際してコンテンツを保護するために暗号化伝送方式が要求される。特に、暗号化伝送方式を用いるインターフェースを適用するとき、ＯＬＥＤ表示装置の外部補償のために必要なセンシング用データの伝送問題が考慮されなければならない。
【発明の概要】
【発明が解決しようとする課題】
【０００８】
本発明は、表示モジュールから制御モジュールを外部に分離して表示モジュールをスリム化することができるＯＬＥＤ表示装置を提供する。
【０００９】
また、本発明は、外部に分離された制御モジュールと表示モジュールの間の通信のために暗号化伝送規格を用いながらもセンシング用データを効率的に伝送することができるインターフェース装置を含むＯＬＥＤ表示装置を提供する。
【課題を解決するための手段】
【００１０】
本発明によるＯＬＥＤ表示装置は、表示モジュールと、ホストシステムと、ホストシステムと表示モジュールの間で通信するインターフェース装置とを備える。表示モジュールは、表示パネルと、この表示パネルを駆動するパネル駆動部とを含み、ホストシステムは、表示モジュールから分離されたタイミングコントローラーを含む。
【００１１】
インターフェース装置は、ホストシステムと表示モジュールの間に連結されたケーブルと、ホストシステムに内蔵された送信モジュールと、表示モジュールに内蔵された受信モジュールとを備える。送信モジュールは、タイミングコントローラーから供給されたデータを暗号化してケーブルを介して伝送する。受信モジュールは、ケーブルを介して伝送されたデータを復元してパネル駆動部に供給する。
【００１２】
送信モジュールは、タイミングコントローラーから供給される４色（ＲＧＢＷ）データの中で３色（ＲＧＢ）データを圧縮し、圧縮された３色データを伝送する第１チャネルと、圧縮されていないＷデータを伝送する第２チャネルとを分離して４色データを伝送する。
【００１３】
送信モジュールは、タイミングコントローラーから供給された入力垂直同期信号を用いて位相の相異なる第１及び第２垂直同期信号を生成する。
【００１４】
送信モジュールは、第１チャネルを介して第１垂直同期信号のアクティブ期間に３色データを伝送するとともに第２チャネルを介して第２垂直同期信号のアクティブ期間にＷデータを伝送する。
【００１５】
第１及び第２垂直同期信号のアクティブ期間は、タイミングコントローラーから表示パネルに供給されるセンシング用データを伝送するセンシング期間を交互に含む。
【００１６】
第１及び第２垂直同期信号は、入力垂直同期信号に比べて１／２倍の周波数を有する。第１及び第２垂直同期信号のそれぞれのアクティブ期間は２個のフレームの映像データを伝送する２個のフレームの有効データ期間と、この２個のフレーム期間の間に割り当てられたセンシング期間とを含み、各チャネルのセンシング期間は他のチャネルのブランク期間と重畳する。
【発明の効果】
【００１７】
本発明によるＯＬＥＤ表示装置のインターフェース装置は、ブランク期間が互いに重畳しないように加工された複数の垂直同期信号をそれぞれ用いる複数のチャネルを介して交互に、一チャネルのブランク期間と重畳する他のチャネルのアクティブ期間に、センシング用データを効率的に伝送することができる。
【００１８】
よって、本発明のによるＯＬＥＤ表示装置は、前述したインターフェース装置を用いることにより、制御モジュールを表示モジュールから外部に分離し、外部に露出されたコンテンツの保護のために暗号化伝送規格を用いながらも外部補償のためのセンシング用データを効率的に伝送することができるので、表示モジュールをスリム化してウォールペーパーディスプレイなどに適用することができる。
【図面の簡単な説明】
【００１９】
【図１】本発明の一実施例によるＯＬＥＤ表示装置の構成を概略的に示したブロック図である。
【図２】本発明の一実施例によるインターフェース装置のデータ伝送シーケンスを先行技術と比較して示した図である。
【図３】図１に示した表示モジュールの構成を例として示した図である。
【図４】本発明の一実施例によるＯＬＥＤ表示装置のスリム化した構成を示した図である。
【図５】本発明の一実施例によるインターフェース装置の内部構成を示したブロック図である。
【発明を実施するための形態】
【００２０】
以下、添付図面を参照して本発明の好適な実施例を説明する。
【００２１】
図１は、本発明の一実施例によるＯＬＥＤ表示装置の構成を示したブロック図である。
【００２２】
図１を参照すると、ＯＬＥＤ表示装置は、ホストシステム１００と表示モジュール５００を含む。
【００２３】
表示モジュール５００は、受信モジュール６００、パネル駆動部７００及び表示パネル８００を含み、ホストシステム１００は、システムオンチップ（Ｓｙｓｔｅｍ ｏｎ Ｃｈｉｐ；以下、ＳｏＣと称す）２００、タイミングコントローラー３００及び送信モジュール４００を含む。
【００２４】
表示モジュール５００のスリム化のために、タイミングコントローラー３００を含む制御回路基板（図示せず）は表示モジュール５００から分離されてホストシステム１００に内蔵される。
【００２５】
外部に分離されたタイミングコントローラー３００と表示モジュール５００の間の通信の際にコンテンツ保護のために暗号化伝送方式を用いるインターフェース装置９００が適用される。本発明の一実施例によるインターフェース装置９００は、ホストシステム１００の送信モジュール４００と、ケーブル９１０を介して送信モジュール４００と連結された表示モジュール５００の受信モジュール６００とからなる。送信モジュール４００と受信モジュール６００は、それぞれＩＣ（Ｉｎｔｅｇｒａｔｅｄ Ｃｉｒｃｕｉｔ）に集積化したサーデス送信（ＳｅｒＤｅｓ Ｔｘ）ＩＣとサーデス受信（ＳｅｒＤｅｓ Ｒｘ）ＩＣと称することができる。
【００２６】
ホストシステム１００は、例えばコンピュータ、ＴＶシステム、セットトップボックス、タブレット、携帯電話などの携帯端末機のシステムのいずれか一つであってもよい。
【００２７】
ＳｏＣ２００は、スケーラー（ｓｃａｌｅｒ）などを内蔵し、ビデオデータを表示モジュール５００に表示するのに適した解像度データフォーマットに変換してタイミングコントローラー３００に出力する。ＳｏＣ２００は、クロック（ＣＬＫ）、データイネーブル信号（ＤＥ）、垂直同期信号（Ｖｓｙｎｃ）、水平同期信号（Ｈｓｙｎｃ）などを含む複数のタイミング信号を生成してタイミングコントローラー３００に出力する。
【００２８】
ＳｏＣ２００とタイミングコントローラー３００は多様なインターフェースのいずれか一つを介して通信することができる。例えば、ＳｏＣ２００とタイミングコントローラー３００は、低電圧差分信号を用いるＬＶＤＳ（Ｌｏｗ Ｖｏｌｔａｇｅ Ｄｉｆｆｅｒｅｎｔｉａｌ Ｓｉｇｎａｌ）インターフェースを介してデータとクロックを送受信することができる。このために、ＳｏＣ２００は出力端にＬＶＤＳ送信部（図示せず）を内蔵し、タイミングコントローラー３００は入力端にＬＶＤＳ送信部（図示せず）を内蔵する。
【００２９】
タイミングコントローラー３００は、ＳｏＣ２００から受けた３色（Ｒｅｄ、Ｇｒｅｅｎ、Ｂｌｕｅ；ＲＧＢ）データを予め定められたＲＧＢ−ｔｏ−ＷＲＧＢ変換法によって４色（Ｗｈｉｔｅ、Ｒｅｄ、Ｇｒｅｅｎ、Ｂｌｕｅ；ＷＲＧＢ）データに変換する。タイミングコントローラー３００は、消費電力減少や画質補償、外部補償、劣化補償などの多様な映像処理によってＷＲＧＢデータを加工して出力する。
【００３０】
例えば、タイミングコントローラー３００は、消費電力の減少のために、入力映像を分析し、平均画像レベル（Ａｖｅｒａｇｅ Ｐｉｃｔｕｒｅ ｌｅｖｅｌ；ＡＰＬ）などの映像特性情報に基づいてピーク輝度を決定し、ピーク輝度によってガンマ高電位電源ＥＶＤＤを調整し、インターフェース装置９００を介して表示モジュール５００に供給することができる。
【００３１】
タイミングコントローラー３００は、ピクセル間偏差を外部補償するために、電源オン時間、各垂直同期信号の垂直ブランク期間、電源オフ時間などのように所望のセンシング期間ごとに表示パネル８００の各ピクセルの駆動特性（駆動ＴＦＴのＶｔｈ及び移動度、ＯＬＥＤ素子のＶｔｈなど）を、インターフェース装置９００及びパネル駆動部７００を介してセンシングする。
【００３２】
すなわち、タイミングコントローラー３００は、各センシング期間にインターフェース装置９００及びパネル駆動部７００を介してセンシング用データ（ビデオデータの一つ）が該当ピクセルのそれぞれに供給されて該当ピクセルを駆動させる。パネル駆動部７００は、駆動された該当ピクセルの駆動特性が反映されたピクセル電流を電圧でセンシングし、デジタルセンシング値に変換し、インターフェース装置９００を介してタイミングコントローラー３００に提供する。
【００３３】
タイミングコントローラー３００は、各ピクセルのセンシング値を加工し、ピクセル間の駆動偏差（駆動ＴＦＴの移動度偏差及びＶｔｈ、ＯＬＥＤのＶｔｈなど）を補償するための補償値を生成してメモリに記憶させる。タイミングコントローラー３００は、メモリに記憶された補償値を用いて、ピクセルにそれぞれ供給されるピクセルデータを補償して出力する。
【００３４】
タイミングコントローラー３００は、ＳｏＣ２００から受信したタイミング信号を用いてパネル駆動部７００の駆動タイミングを制御するデータ制御信号及びゲート制御信号を生成し、インターフェース装置９００を介してパネル駆動部７００に出力する。データ制御信号は、パネル駆動部７００に含まれるデータ駆動部の駆動タイミングを制御するソーススタートパルス、ソースサンプリングクロック、ソース出力イネーブル信号などを含むことができる。ゲート制御信号は、パネル駆動部７００に含まれるゲート駆動部の駆動タイミングを制御するゲートスタートパルス、ゲートシフトクロック、ゲート出力イネーブル信号などを含むことができる。タイミングコントローラー３００は、前述した制御信号と一緒に垂直同期信号（Ｖｓｙｎｃ）を送信モジュール４００に伝送することができる。
【００３５】
インターフェース装置９００は、外部に露出されたコンテンツ保護のために、コンテンツのコピーを防止するＨＤＣＰ（Ｈｉｇｈ−ｂａｎｄｗｉｄｔｈ Ｄｉｇｉｔａｌ Ｃｏｎｔｅｎｔｓ Ｐｒｏｔｅｃｔｉｏｎ）の暗号化アルゴリズムを支援するＨＤＭＩ（登録商標）（Ｈｉｇｈ Ｄｅｆｉｎｉｔｉｏｎ Ｍｕｌｔｉｍｅｄｉａ Ｉｎｔｅｒｆａｃｅ）インターフェースを用いる。ＨＤＭＩインターフェースは、デジタル伝送規格であるＴＭＤＳ（Ｔｒａｎｓｉｔｉｏｎ Ｍｉｎｉｍｉｚｅｄ Ｄｉｆｆｅｒｅｎｔｉａｌ Ｓｉｇｎａｌｉｎｇ）通信方式を用いる。
【００３６】
送信モジュール４００は、タイミングコントローラー３００から受信したピクセルデータをＨＤＣＰ暗号化アルゴリズムによって暗号化し、制御情報などと一緒に伝送パケットに変換し、伝送パケットに対応する差分信号をケーブル９１０を介して受信モジュール６００に直列で伝送する。受信モジュール６００は、受信された差分信号から伝送パケットを復元し、ＨＤＣＰ復元アルゴリズムによってピクセルデータ及び制御情報などを復元してパネル駆動部７００に出力する。
【００３７】
ところで、ＴＭＤＳ通信方式は、図２に示したように、垂直同期信号（Ｖｓｙｎｃ）を用いて、アクティブ期間（Ｖａｃｔｉｖｅ）の間にＲＧＢＷデータを伝送し、ブランク期間（Ｖｂｌａｎｋ）の間に多様な制御データ（ＣＴＬ）とデータアイランド（Ｄａｔａ Ｉｓｌａｎｄ；ＤＩ）信号（オーディオ信号など）を伝送しなければならないので、ブランク期間（Ｖｂｌａｎｋ）に外部補償のためのセンシング用データを伝送することができない問題点がある。
【００３８】
このような問題点を解決するために、送信モジュール４００は、図２に示したように、入力垂直同期信号に比べて周波数が１／２倍に減少（周期が２倍に増加）した垂直同期信号（Ｖｓｙｎｃ１、Ｖｓｙｎｃ２）を用いて、各垂直同期信号のアクティブ期間（Ｖａｃｔｉｖｅ’）に２個フレームのピクセルデータ伝送期間、それらの間に割り当てられたセンシング期間（ＳＤ）が含まれるようにし、一チャネルのセンシング期間（ＳＤ）は他のチャネルのブランク期間（Ｖｂｌａｎｋ）と重畳するようにする。これにより、送信モジュール４００は、各垂直同期信号のアクティブ期間に含まれるセンシング期間を用いてセンシング用データを伝送することができ、第１及び第２チャネルＣＨ１、ＣＨ２でセンシング期間が交互になるようにすることで効率的にセンシング用データを伝送することができる。
【００３９】
送信モジュール４００は、位相の相異なる第１及び第２垂直同期信号（Ｖｓｙｎｃ１、Ｖｓｙｎｃ２）をそれぞれ用いる第１及び第２チャネルＣＨ１、ＣＨ２を介して、該当の垂直同期信号のアクティブ期間（Ｖａｃｔｉｖｅ’）にＲＧＢデータとＷデータを分離して受信モジュール６００に伝送することにより、周波数の増加なしでもＲＧＢＷデータの伝送速度を向上させることができ、ブランク期間（Ｖｂｌａｎｋ）に制御情報（ＣＴＬ）などを含む付加情報（ＣＴＬ／ＤＩ）を伝送する。
【００４０】
送信モジュール４００は、第１チャネルＣＨ１に対応する第１垂直同期信号（Ｖｓｙｎｃ１）のアクティブ期間（Ｖａｃｔｉｖｅ’）を時分割してＮ−１及びＮフレームのＲＧＢデータを伝送するとともに、第２チャネルＣＨ２に対応する第２垂直同期信号（Ｖｓｙｎｃ２）のアクティブ期間（Ｖａｃｔｉｖｅ’）を時分割してＮ−１及びＮフレームのＷデータを伝送する。送信モジュール４００は、第１チャネルＣＨ１に対応するＮ−１及びＮフレームの間のセンシング期間（ＳＤ）にセンシング用データを伝送するとともに、第２チャネルＣＨ２に対応するＮ−１及びＮフレームの間のブランク期間（Ｖｂｌａｎｋ）に付加情報（ＣＴＬ／ＤＩ）を伝送する。
【００４１】
したがって、送信モジュール４００は垂直同期信号の周波数及び位相の調整によってセンシング用データをアクティブ期間内のセンシング期間に効率的に受信モジュール６００に伝送することができ、垂直同期信号の周波数が半分に減少してもピクセルデータ及び付加情報は周波数変更なしで伝送されることができる。
【００４２】
タイミングコントローラー３００と送信モジュール４００は、多様なインターフェースのいずれか一つを介してデータを送受信し、受信モジュール６００とパネル駆動部７００もいずれか一つのインターフェースを介してデータを送受信する。
【００４３】
例えば、ＬＶＤＳインターフェース、高速直列インターフェースとして知られたＥＰＩ（Ｅｍｂｅｄｄｅｄ Ｐｏｉｎｔ−ｔｏ−ｐｏｉｎｔ Ｉｎｔｅｒｆａｃｅ；ＥＰＩ）インターフェース、Ｖ−ｂｙ−ｏｎｅ（以下、Ｖｘ１）インターフェースが適用されることができる。ＥＰＩ又はＶｘ１インターフェースのために、タイミングコントローラー３００の出力端又は受信モジュール６００の出力端に内蔵される送信部（図示せず）は、多様な制御データを含む制御情報と、ピクセルデータをクロックを含む直列形態の伝送パケットに変換し、伝送ライン対を介して伝送パケットを差分信号形態で伝送する。送信モジュール４００の入力端又はパネル駆動部７００に含まれるデータ駆動部の入力端に内蔵される受信部（図示せず）は、受信された伝送パケットからクロック、制御情報及びピクセルデータを復元して出力する。伝送パケットは、受信部のクロックロッキング（ｌｏｃｋｉｎｇ）のためのクロックトレーニングパターン、アライントレーニングパターン、クロックと制御情報を直列形態で含む制御パケット、クロックとピクセルデータを直列形態で含むデータパケットなどを含む。
【００４４】
図３は、図１に示した表示モジュール５００の構成を概略的に示したブロック図である。
【００４５】
図３を参照すると、表示モジュール５００は、受信（ＲＸ）モジュール６００と、データ駆動部７１０及びゲート駆動部７２０からなるパネル駆動部７００と、表示パネル８００とを含む。
【００４６】
受信モジュール６００は、前述したように、ケーブル９１０を介して送信モジュール４００から伝送された差分信号に対する所要データ処理を行ってピクセルデータ及び制御情報を復元する。受信モジュール６００は、ピクセルデータ及びデータ制御情報をＥＰＩパケットに変換し、ＥＰＩインターフェースを介してデータ駆動部７１０を構成する複数のデータＩＣ（ＤＤ１〜ＤＤｍ）のそれぞれに伝送する。受信モジュール６００は、ゲート制御信号をゲート駆動部７２０に伝送し、ゲート制御信号は電源ＩＣ（図示せず）に内蔵されたレベルシフターを介してレベルシフトされてゲート駆動部７２０に供給されることができる。
【００４７】
データ駆動部７１０を構成する複数のデータＩＣ ♯１〜♯ｍのそれぞれは、受信モジュール６００から個別的に伝送されたＥＰＩパケットクロック、制御情報、ピクセルデータを復元し、ピクセルデータをアナログデータ信号に変換して表示パネル８００のデータラインＤＬに供給する。データＩＣ ♯１〜♯ｍのそれぞれは、自分に内蔵されるか外部に別に備えられたガンマ電圧生成部（図示せず）から供給された基準ガンマ電圧セットをデータの階調値にそれぞれ対応する階調電圧に細分化する。データＩＣ ♯１〜♯ｍのそれぞれはデータ制御信号によって駆動され、細分化した階調電圧によってデジタルデータをアナログデータ信号に変換し、アナログデータ信号を表示パネル８００のデータラインＤＬにそれぞれ供給する。また、データＩＣ ♯１〜♯ｍのそれぞれはセンシング期間ごとに受信モジュール６００を介して供給されたセンシング用ピクセルデータをアナログデータ信号に変換して該当ピクセルＰに供給し、該当ピクセルＰの駆動特性を反映したピクセル電流による電圧をセンシングする。データＩＣ ♯１〜♯ｍのそれぞれはセンシングされた電圧をデジタルセンシング値に変換し、センシング値に対応する差分信号をインターフェース装置９００を介してタイミングコントローラー３００に供給する。
【００４８】
データＩＣ ♯１〜♯ｍのそれぞれはＴＣＰ（Ｔａｐｅ Ｃａｒｒｉｅｒ Ｐａｃｋａｇｅ）、ＣＯＦ（Ｃｈｉｐ Ｏｎ Ｆｉｌｍ）、ＦＰＣ（Ｆｌｅｘｉｂｌｅ Ｐｒｉｎｔ Ｃｉｒｃｕｉｔ）などの回路フィルムに実装されて表示パネル８００にＴＡＢ（Ｔａｐｅ Ａｕｔｏｍａｔｉｃ Ｂｏｎｄｉｎｇ）方式で付着されるか、ＣＯＧ（Ｃｈｉｐ Ｏｎ Ｇｌａｓｓ）方式で表示パネル８００上に実装されることができる。
【００４９】
ゲート駆動部７２０は、受信モジュール６００から供給されるゲート制御信号に応じて表示パネル８００の複数のゲートラインＧＬをそれぞれ駆動する。ゲート駆動部７２０は、ゲート制御信号に応じて各ゲートラインに該当のスキャン期間にゲートオン電圧のスキャンパルスを供給し、残りの期間にはゲートオフ電圧を供給する。ゲート駆動部７２０は少なくとも一つのゲートＩＣで構成され、ＴＣＰ、ＣＯＦ、ＦＰＣなどの回路フィルムに実装され、表示パネル８００にＴＡＢ方式で付着されるか、ＣＯＧ方式で表示パネル８００上に実装されることができる。これとは異なり、ゲート駆動部７２０は表示パネル８００のピクセルアレイを構成する薄膜トランジスタアレイとともに薄膜トランジスタ基板に形成されることにより、表示パネル８００の非表示領域に内蔵されたＧＩＰ（Ｇａｔｅ Ｉｎ Ｐａｎｅｌ）タイプに構成されることができる。
【００５０】
表示パネル８００は、ピクセルＰがマトリックス状に配列されたピクセルアレイを介して映像を表示する。ピクセルアレイはＲ／Ｗ／Ｇ／Ｂピクセルからなる。
【００５１】
各ピクセルＰは、高電位電源ＥＶＤＤライン及び低電位電源ＥＶＳＳラインの間に接続されたＯＬＥＤ素子と、ＯＬＥＤ素子を独立的に駆動するために第１及び第２スイッチングＴＦＴ ＳＴ１、ＳＴ２及び駆動ＴＦＴ ＤＴとストレージキャパシタＣｓｔを含むピクセル回路とを備える。このピクセル回路の構成は多様であるので、図２の構造に限定されない。
【００５２】
ＯＬＥＤ素子は、駆動ＴＦＴ ＤＴと接続されたアノードと、低電位電源ＥＶＳＳラインと接続されたカソードと、アノード及びカソードの間の発光層とを備えることで、駆動ＴＦＴ ＤＴから供給された電流量に比例する光を発生する。
【００５３】
第１スイッチングＴＦＴ ＳＴ１は一つのゲートラインＧＬのゲート信号によって駆動され、該当のデータラインＤＬからのデータ信号を駆動ＴＦＴ ＤＴのゲートノードに供給し、第２スイッチングＴＦＴ ＳＴ２は他のゲートラインＧＬのゲート信号によって駆動され、レファレンスラインＲＬからのレファレンス電圧を駆動ＴＦＴ ＤＴのソースノードに供給する。第２スイッチングＴＦＴ ＳＴ２はセンシング期間に駆動ＴＦＴ ＤＴからの電流をレファレンスライン（Ｒ）に出力する経路としてさらに用いられる。
【００５４】
駆動ＴＦＴ ＤＴのゲートノード及びソースノードの間に接続されたストレージキャパシタＣｓｔは、第１スイッチングＴＦＴ ＳＴ１を介してゲートノードに供給されたデータ電圧と第２スイッチングＴＦＴ ＳＴ２を介してソースノードに供給されたレファレンス電圧の間の差電圧を充電して駆動ＴＦＴ ＤＴの駆動電圧として供給する。
【００５５】
駆動ＴＦＴ ＤＴは、高電位電源ＥＶＤＤから供給される電流をストレージキャパシタＣｓｔから供給された駆動電圧によって制御することにより、駆動電圧に比例する電流をＯＬＥＤ素子に供給してＯＬＥＤ素子を発光させる。
【００５６】
図４は、本発明の一実施例によるＯＬＥＤ表示装置のスリム化した構成を示した図である。
【００５７】
図４を参照すると、タイミングコントローラー３００が実装された制御回路基板（Ｃｏｎｔｒｏｌ Ｐｒｉｎｔｅｄ Ｃｉｒｃｕｉｔ Ｂｏａｒｄ）ＣＰＣＢは表示モジュール５００から外部に分離され、ケーブル９１０を介して表示モジュール５００のフラットフレキシブルケーブル（Ｆｌａｔ Ｆｌｅｘｉｂｌｅ Ｃａｂｌｅ；以下、ＦＦＣ）と連結される。ＣＰＣＢは前述したホストシステムに内蔵され、前述したシステムオンチップ（ＳｏＣ）も実装することができる。表示モジュール５００のＦＦＣには電源ＩＣなどがさらに実装される。
【００５８】
コンテンツの保護のために、制御回路基板ＣＰＣＢには前述した送信モジュール、つまりＳｅｒＤｅｓ Ｔｘ ＩＣ４００が実装され、ＦＦＣには前述した受信モジュール、つまりＳｅｒＤｅｓ Ｒｘ ＩＣ６００が実装され、ＣＰＣＢのコネクタ９２０及びＦＦＣのコネクタ９３０の間に連結されたケーブル９１０を介して送信モジュールＩＣ４００と受信モジュールＩＣ６００がＨＤＭＩ伝送規格で通信する。
【００５９】
表示パネル８００のデータラインを駆動する複数のデータ駆動部ＤＤは表示パネル８００と接続され、複数のソース回路基板（Ｓｏｕｒｃｅ Ｐｒｉｎｔｅｄ Ｃｉｒｃｕｉｔ Ｂｏａｒｄ；以下、ＳＰＣＢ）に分割されて接続され、それぞれのデータ駆動部ＤＤはデータＩＣが実装されたＣＯＦで構成されることができる。複数のＳＰＣＢはコネクタ９４０を介してＦＦＣと連結される。
【００６０】
複数のゲート駆動部ＧＤは、表示パネル８００の両側部に接続されることにより、表示パネル８００の両側部でゲートラインを駆動し、各ゲート駆動部ＧＤはゲートＩＣが実装されたＣＯＦで構成されることができる。
【００６１】
このように、本発明の一実施例によるＯＬＥＤ表示装置は、ＣＰＣＢが外部に分離されることにより、表示モジュール５００をスリム化してウォールペーパーディスプレイなどに適用することができる。
【００６２】
図５は、本発明の一実施例によるインターフェース装置の構成を示したブロック図である。
【００６３】
送信モジュール４００は、受信部（ＲＸ）４１０、分配部４２０、圧縮部４３０、ラインメモリ（ＬＭ）４４０、同期信号（ｓｙｎｃ）生成部４５０、ＨＤＣＰエンコーダー４６０及びＨＤＭＩ送信部（ＴＸ）４７０を含む。
【００６４】
受信部４１０は、タイミングコントローラー３００から伝送された差分信号に対応するＥＰＩ又はＶｘ１伝送パケットからクロック、ピクセルデータ及び制御情報を復元して出力する。
【００６５】
分配部４２０は、受信部４１０を介して受けた受信データをＲＧＢデータと、Ｗデータと、制御情報とに分離して出力する。
【００６６】
圧縮部４３０は分配部４２０から受けたＲＧＢデータを圧縮して出力し、ラインメモリ４４０は分配部４２０から受けたＷデータをＲＧＢデータが圧縮されるうちに遅延させて圧縮なしで出力する。圧縮部４３０によってＲＧＢデータが圧縮されて伝送ビット数が減少するので、伝送ライン数を減少させることができる。
【００６７】
同期信号生成部４５０は、分配部４２０から受けた制御情報の中で入力垂直同期信号を用いて、前述したように入力垂直同期信号に比べて周波数が１／２倍に減少した位相の相異なる第１及び第２垂直同期信号（Ｖｓｙｎｃ１、Ｖｓｙｎｃ２；図２参照）を生成して出力する。
【００６８】
ＨＤＣＰエンコーダー４６０は、圧縮部４３０から受けた圧縮されたＲＧＢデータと、ラインメモリ（ＬＭ）から受けた圧縮されていないＷデータをそれぞれ暗号化処理し、ＨＤＭＩ ＴＸ４７０を介して第１及び第２チャネルＣＨ１、ＣＨ２にそれぞれ出力する。ＨＤＭＩ ＴＸ４７０は、第１チャネルＣＨ１を介して第１垂直同期信号（Ｖｓｙｎｃ１）のアクティブ期間にＲＧＢデータを、かつブランク期間に制御情報を差分信号形態で伝送する。ＨＤＭＩ ＴＸ４７０は、第２チャネルＣＨ２を介して第２垂直同期信号（Ｖｓｙｎｃ２）のアクティブ期間にＷデータを、かつブランク期間に制御情報を差分信号形態で伝送する。ＨＤＭＩ ＴＸ４７０は、前述したように、第１及び第２チャネルＣＨ１、ＣＨ２を介して、該当のセンシング期間にＨＤＣＰエンコーダー４６０から供給されたセンシングデータを差分信号形態で伝送する。
【００６９】
受信モジュール６００は、ＨＤＭＩ受信部（ＲＸ）６１０、整列部６２０、ＨＤＣＰデコーダー６３０、圧縮解除部６３０、ラインバッファー６５０、フォーマッタ６６０及びＥＰＩ送信部６７０を備える。
【００７０】
ＨＤＭＩＲＸ６１０は、ＨＤＭＩ ＴＸ４７０からケーブル９１０の第１及び第２チャネルＣＨ１、ＣＨ２を介して供給された差分信号を信号処理して、クロック、伝送データ、制御情報を復元し、整列部６２０によって復元されたデータを整列してＨＤＣＰデコーダー６３０に伝送する。
【００７１】
ＨＤＣＰデコーダー６３０は、整列部６２０の出力データからＲＧＢデータとＷデータをそれぞれ復元して出力する。
【００７２】
圧縮解除部６３０は、ＨＤＣＰデコーダー６３０から供給されたＲＧＢデータの圧縮を解除して出力し、ラインメモリ（ＬＭ）６５０は、ＨＤＣＰデコーダー６３０から供給されたＷデータを遅延させて出力する。
【００７３】
フォーマッタ６６０は、圧縮解除部６３０及びラインメモリ６５０からのＲＧＢＷデータ、つまりピクセルデータと制御情報をクロックと一緒にＥＰＩ伝送パケットに変換し、ＥＰＩ ＴＸ６７０を介して差分信号形態でデータ駆動部ＤＤのそれぞれに伝送する。
【００７４】
送信モジュール４００と受信モジュール６００の間のケーブル９１０は追加リンクをさらに備え、データ駆動部７１０から差分信号形態で供給されるセンシング値はインターフェース装置９００を介してタイミングコントローラー３００に伝送される。
【００７５】
このように、本発明の一実施例による表示装置のインターフェース装置及び方法は、ブランク期間が互いに重畳しないように加工された複数の垂直同期信号をそれぞれ用いる複数のチャネルを介して交互に、一チャネルのブランク期間と重畳する他のチャネルのアクティブ期間に、センシング用データを効率的に伝送することができる。
【００７６】
したがって、本発明の一実施例によるＯＬＥＤ表示装置は、前述したインターフェース装置を用いることにより、制御モジュールを表示モジュールから外部に分離し、外部に露出されたコンテンツの保護のために暗号化伝送規格を用いながらも外部補償のためのセンシング用データを効率的に伝送することができるので、表示モジュールをスリム化してウォールペーパーディスプレイなどに適用することができる。
【００７７】
以上で本発明の技術的思想を例示するために具体的な実施例を示して説明したが、本発明は前記のように具体的な実施例の構成及び作用のみに限らなく、さまざまな変形が本発明の技術的思想を逸脱しない範疇内で実施可能である。したがって、そのような変形も本発明の範囲に属するものと見なさなければならなく、本発明の範囲は後述する特許請求範囲によって決定されなければならない。
【符号の説明】
【００７８】
１００    ホストシステム
２００    システムオンチップ（ＳｏＣ）
３００    タイミングコントローラー
４００    送信モジュール（ＳｅｒＤｅｓ Ｔｘ）
５００    表示モジュール
６００    受信モジュール（ＳｅｒＤｅｓ Ｒｘ）
７００    パネル駆動部
８００    表示パネル
９００    インターフェース装置
９１０    ケーブル
７１０    データ駆動部
７２０    ゲート駆動部
【図１】
0006483649.tif 000002
【図２】
0006483649.tif 000003
【図３】
0006483649.tif 000004
【図４】
0006483649.tif 000005
【図５】
0006483649.tif 000006